(57)【要約】  【課題】  検出モードを適切なタイミングで切り換えて、トーン信号とリング信号のそれぞれの信号を確実に検出することができるファクシミリ装置を提供すること。  【解決手段】  電源投入後（Ｓ１）、まず、ファクシミリ装置の動作状態がユーザーモード待機中であるか否かを確認し（Ｓ２）、ユーザーモード待機中であると判断される場合には（Ｓ２：Ｙｅｓ）、半導体化ＤＡＡの検出モードがリング信号検出モードに設定されるので（Ｓ３）、交換機から送信されるリング信号を確実に検出することができると共に、その交換機からのリング信号に対して呼び出し音をリアルタイムに鳴動させることができる。また、例えば、保守モードへの移行指示があった場合には（Ｓ５：Ｙｅｓ）、半導体化ＤＡＡの検出モードがトーン信号検出モードに設定されるので、回線からのトーン信号を確実に検出することができる。  【選択図】        図３
2005057615.tif 000002
【特許請求の範囲】
【請求項１】
回線網側とファクシミリデータの授受を行う回線Ｉ／Ｆ部に半導体化ＤＡＡを備えたファクシミリ装置において、
前記半導体化ＤＡＡに設けられ、回線からのモデム信号を検出するモデム信号検出部と、
前記半導体化ＤＡＡに設けられ、交換機から送信されるリング信号を検出するリング信号検出部と、
そのリング信号検出部によりリング信号の検出を行うリング信号検出モード、又は、前記モデム信号検出部によりモデム信号の検出を行うモデム信号検出モードに、前記半導体化ＤＡＡの検出モードを切り換える切換手段とを備え、
その切換手段により前記半導体化ＤＡＡの検出モードを切り換えて、前記リング信号またはモデム信号のいずれか一方の信号を選択的に検出するように構成されていることを特徴とするファクシミリ装置。
【請求項２】
通常使用可能な待機中であるか否かを検出する待機状態検出手段を備え、
前記切換手段は、待機中であることが前記待機状態検出手段によって検出された場合には、前記半導体化ＤＡＡの検出モードを前記リング信号検出モードに切り換えるように構成されていることを特徴とする請求項１記載のファクシミリ装置。
【請求項３】
メンテナンスを実行するための保守モードへの移行が指示されているか否か検出する保守状態検出手段を備え、
前記切換手段は、前記保守モードへの移行指示がなされていると前記保守状態検出手段によって検出された場合には、前記半導体化ＤＡＡの検出モードを前記モデム信号検出モードに切り換えるように構成されていることを特徴とする請求項１又は２に記載のファクシミリ装置。
【請求項４】
外付け電話を接続可能であり、
その外付け電話がフックアップされたか否かを検出するフックアップ状態検出手段を備え、
前記切換手段は、前記外付け電話がフックアップされていると前記フックアップ状態検出手段によって検出された場合には、前記半導体化ＤＡＡの検出モードを前記モデム信号検出モードに切り換えるように構成されていることを特徴とする請求項１から３のいずれかに記載のファクシミリ装置。
【請求項５】
前記リング信号検出モードにおいて、前記交換機から送信されるリング信号の内、１回目のリング信号が終了したか否かを検出する初回リング検出手段を備え、
前記切換手段は、前記１回目のリング信号が終了したと前記初回リング検出手段によって検出された場合には、前記半導体化ＤＡＡの検出モードを前記モデム信号検出モードに切り換えるように構成されていることを特徴とする請求項１から４のいずれかに記載のファクシミリ装置。
【請求項６】
交換機から送信される情報端末起動信号（ＣＡＲ信号）を検出する起動信号検出手段を備え、
前記切換手段は、その情報端末起動信号（ＣＡＲ信号）が前記起動信号検出手段によって検出された場合には、前記半導体化ＤＡＡの検出モードを前記モデム信号検出モードに切り換えるように構成されていることを特徴とする請求項１から５のいずれかに記載のファクシミリ装置。
【請求項７】
回線の極性反転を検出する反転検出手段を備え、
前記切換手段は、その反転検出手段によって回線の極性反転が検出された場合には、前記半導体化ＤＡＡの検出モードを前記モデム信号検出モードに切り換えるように構成されていることを特徴とする請求項１から６のいずれかに記載のファクシミリ装置。
【請求項８】
リング信号の受信によって割込信号を発生させる割込手段を備え、
前記切換手段は、前記モデム信号検出モードに切り換えた状態で、前記割込信号が割込手段によって発生された場合には、前記半導体化ＤＡＡの検出モードを前記リング信号検出モードに切り換えるように構成されていることを特徴とする請求項５又は７に記載のファクシミリ装置。
【請求項９】
前記モデム信号検出モードにおいて、前記リング信号、情報端末起動信号（ＣＡＲ信号）、又は、回線の極性反転のいずれかの後に送信される発信者識別情報（ＣａｌｌｅｒＩＤ）の受信が完了した場合に、前記切換手段は、前記リング信号検出モードに切り換えるように構成されていることを特徴とする請求項５から８のいずれかに記載のファクシミリ装置。
【請求項１０】
前記動作モードがモデム信号検出モードへ切り換えられてからの経過時間を計時する計時手段と、その計時手段によって所定時間の計時が行われたか否かを判断する経過時間判断手段とを備え、
前記モデム信号検出モードにおいて、その経過時間判断手段によって所定時間の計時が行われたと判断された場合に、前記切換手段は、前記リング信号検出モードに切り換えるように構成されていることを特徴とする請求項５から９のいずれかに記載のファクシミリ装置。
【請求項１１】
回線が閉結したか否かを検出する回線状態検出手段を備え、
前記切換手段は、回線の閉結が前記回線状態検出手段によって検出された場合には、前記半導体化ＤＡＡの検出モードを前記モデム信号検出モードに切り換えるように構成されていることを特徴とする請求項１から１０のいずれかに記載のファクシミリ装置。
【発明の詳細な説明】
【技術分野】
【０００１】
本発明はファクシミリ装置に関し、特に、検出モードを適切なタイミングで切り換えて、モデム信号とリング信号のそれぞれの信号を確実に検出することができるファクシミリ装置に関するものである。
【背景技術】
【０００２】
半導体化ＤＡＡを利用したファクシミリ装置がある（特許文献１）。このファクシミリ装置によれば、ＣＮＧ信号やＤＴＭＦ信号などのトーン信号を含むモデム信号をトランスを使用することなく検出することができるため、トランスを使用する従来のファクシミリ装置と比較して、装置構成を簡略化、小型化し、コストダウンすることができる。なお、この半導体化ＤＡＡには、モデム信号を検出する検出部の他に、リング信号を検出する検出部も含まれている。
【特許文献１】特開２００３−５１９２６号公報
【発明の開示】
【発明が解決しようとする課題】
【０００３】
しかしながら、上記のファクシミリ装置では、モデム信号の検出とリング信号の検出とを同時に行うことができないという問題点があった。即ち、半導体化ＤＡＡには、モデム信号の検出またはリング信号の検出のいずれか一方ずつしか行うことができないという特性があるため、いずれの信号を検出するかについて、その検出モードを適正なタイミングで切り換えなければ、それぞれの信号の検出に失敗するという問題点があった。
【０００４】
本発明は上述した問題点を解決するためになされたものであり、検出モードを適切なタイミングで切り換えて、モデム信号とリング信号のそれぞれの信号を確実に検出することができるファクシミリ装置を提供することを目的としている。
【課題を解決するための手段】
【０００５】
この目的を達成するために、請求項１記載のファクシミリ装置は、回線網側とファクシミリデータの授受を行う回線Ｉ／Ｆ部に半導体化ＤＡＡを備えたものであり、前記半導体化ＤＡＡに設けられ、回線からのモデム信号を検出するモデム信号検出部と、前記半導体化ＤＡＡに設けられ、交換機から送信されるリング信号を検出するリング信号検出部と、そのリング信号検出部によりリング信号の検出を行うリング信号検出モード、又は、前記モデム信号検出部によりモデム信号の検出を行うモデム信号検出モードに、前記半導体化ＤＡＡの検出モードを切り換える切換手段とを備え、その切換手段により前記半導体化ＤＡＡの検出モードを切り換えて、前記リング信号またはモデム信号のいずれか一方の信号を選択的に検出するように構成されている。
【０００６】
この請求項１記載のファクシミリ装置によれば、切換手段によって、半導体化ＤＡＡの検出モードがモデム信号検出モードに切り換えられると、回線からのモデム信号が半導体化ＤＡＡに設けられたモデム信号検出部により検出され、一方、切換手段によって、半導体化ＤＡＡの検出モードがリング信号検出モードに切り換えられると、交換機から送信されるリング信号が半導体化ＤＡＡに設けられたリング信号検出部により検出される。その結果、モデム信号またはリング信号のいずれか一方の信号が選択的に検出され、その検出の信頼性が向上される。
【０００７】
請求項２記載のファクシミリ装置は、請求項１記載のファクシミリ装置において、通常使用可能な待機中であるか否かを検出する待機状態検出手段を備え、前記切換手段は、待機中であることが前記待機状態検出手段によって検出された場合には、前記半導体化ＤＡＡの検出モードを前記リング信号検出モードに切り換えるように構成されている。
【０００８】
この請求項２記載のファクシミリ装置によれば、請求項１記載のファクシミリ装置と同様に作用する上、待機中であることが待機状態検出手段によって検出されると、半導体化ＤＡＡの検出モードが切換手段によってリング信号検出モードに切り換えられ、交換機から送信されるリング信号がリング信号検出部により検出される。
【０００９】
請求項３記載のファクシミリ装置は、請求項１又は２に記載のファクシミリ装置において、メンテナンスを実行するための保守モードへの移行が指示されているか否か検出する保守状態検出手段を備え、前記切換手段は、前記保守モードへの移行指示がなされていると前記保守状態検出手段によって検出された場合には、前記半導体化ＤＡＡの検出モードを前記モデム信号検出モードに切り換えるように構成されていることを特徴とする請求項１又は２に記載のファクシミリ装置。
【００１０】
この請求項３記載のファクシミリ装置によれば、請求項１又は２に記載のファクシミリ装置と同様に作用する上、保守モードへの移行指示がなされていると保守状態検出手段によって検出されると、半導体化ＤＡＡの検出モードが切換手段によってモデム信号検出モードに切り換えられ、回線からのモデム信号がモデム信号検出部により検出される。
【００１１】
請求項４記載のファクシミリ装置は、請求項１から３のいずれかに記載のファクシミリ装置において、外付け電話を接続可能であり、その外付け電話がフックアップされたか否かを検出するフックアップ状態検出手段を備え、前記切換手段は、前記外付け電話がフックアップされていると前記フックアップ状態検出手段によって検出された場合には、前記半導体化ＤＡＡの検出モードを前記モデム信号検出モードに切り換えるように構成されている。
【００１２】
この請求項４記載のファクシミリ装置によれば、請求項１から３のいずれかに記載のファクシミリ装置と同様に作用する上、外付け電話のフックアップがフックアップ検出手段により検出されると、半導体化ＤＡＡの検出モードが切換手段によってモデム信号検出モードに切り換えられ、回線からのモデム信号がモデム信号検出部により検出される。
【００１３】
請求項５記載のファクシミリ装置は、請求項１から４のいずれかに記載のファクシミリ装置において、前記リング信号検出モードにおいて、前記交換機から送信されるリング信号の内、１回目のリング信号が終了したか否かを検出する初回リング検出手段を備え、前記切換手段は、前記１回目のリング信号が終了したと前記初回リング検出手段によって検出された場合には、前記半導体化ＤＡＡの検出モードを前記モデム信号検出モードに切り換えるように構成されている。
【００１４】
この請求項５記載のファクシミリ装置によれば、請求項１から４のいずれかに記載のファクシミリ装置と同様に作用する上、リング信号検出モードにおいて、交換機からの１回目のリング信号が終了したと初回リング検出手段により検出されると、半導体化ＤＡＡの検出モードが切換手段によってモデム信号検出モードに切り換えられ、１回目のリング信号の後に送信されるモデム信号がモデム信号検出部により検出される。
【００１５】
請求項６記載のファクシミリ装置は、請求項１から５のいずれかに記載のファクシミリ装置において、交換機から送信される情報端末起動信号（ＣＡＲ信号）を検出する起動信号検出手段を備え、前記切換手段は、その情報端末起動信号（ＣＡＲ信号）が前記起動信号検出手段によって検出された場合には、前記半導体化ＤＡＡの検出モードを前記モデム信号検出モードに切り換えるように構成されている。
【００１６】
この請求項６記載のファクシミリ装置によれば、請求項１から５のいずれかに記載のファクシミリ装置と同様に作用する上、交換機から送信される情報端末起動信号（ＣＡＲ信号）が起動信号検出手段により検出されると、半導体化ＤＡＡの検出モードが切換手段によってモデム信号検出モードに切り換えられ、情報端末起動信号の後に送信されるモデム信号がモデム信号検出部により検出される。
【００１７】
請求項７記載のファクシミリ装置は、請求項１から６のいずれかに記載のファクシミリ装置において、回線の極性反転を検出する反転検出手段を備え、前記切換手段は、その反転検出手段によって回線の極性反転が検出された場合には、前記半導体化ＤＡＡの検出モードを前記モデム信号検出モードに切り換えるように構成されている。
【００１８】
この請求項７記載のファクシミリ装置によれば、請求項１から６のいずれかに記載のファクシミリ装置と同様に作用する上、回線の極性反転が反転検出手段により検出されると、半導体化ＤＡＡの検出モードが切換手段によってモデム信号検出モードに切り換えられ、極性反転の後に送信されるモデム信号がモデム信号検出部により検出される。
【００１９】
請求項８記載のファクシミリ装置は、請求項５又は７に記載のファクシミリ装置において、リング信号の受信によって割込信号を発生させる割込手段を備え、前記切換手段は、前記モデム信号検出モードに切り換えた状態で、前記割込信号が割込手段によって発生された場合には、前記半導体化ＤＡＡの検出モードを前記リング信号検出モードに切り換えるように構成されている。
【００２０】
この請求項８記載のファクシミリ装置によれば、請求項５又は７に記載のファクシミリ装置と同様に作用する上、割込手段によって割込信号が発生されると、半導体化ＤＡＡの検出モードが切換手段によってリング信号検出モードに切り換えられ、交換機から送信されるリング信号がリング信号検出部により検出される。
【００２１】
請求項９記載のファクシミリ装置は、請求項５から８のいずれかに記載のファクシミリ装置において、前記モデム信号検出モードにおいて、前記リング信号、情報端末起動信号（ＣＡＲ信号）、又は、回線の極性反転のいずれかの後に送信される発信者識別情報（ＣａｌｌｅｒＩＤ）の受信が完了した場合に、前記切換手段は、前記リング信号検出モードに切り換えるように構成されている。
【００２２】
この請求項９記載のファクシミリ装置によれば、請求項５から８のいずれかに記載のファクシミリ装置と同様に作用する上、前記モデム信号検出モードにおいて、前記リング信号、情報端末起動信号（ＣＡＲ信号）、又は、回線の極性反転のいずれかの後に送信される発信者識別情報（ＣａｌｌｅｒＩＤ）の受信が完了されると、半導体化ＤＡＡの検出モードが切換手段によってリング信号検出モードに切り換えられ、発信者識別情報の後に交換機から送信されるリング信号がリング信号検出部により検出される。
【００２３】
請求項１０記載のファクシミリ装置は、請求項５から９のいずれかに記載のファクシミリ装置において、前記動作モードがモデム信号検出モードへ切り換えられてからの経過時間を計時する計時手段と、その計時手段によって所定時間の計時が行われたか否かを判断する経過時間判断手段とを備え、前記モデム信号検出モードにおいて、その経過時間判断手段によって所定時間の計時が行われたと判断された場合に、前記切換手段は、前記リング信号検出モードに切り換えるように構成されている。
【００２４】
この請求項１０記載のファクシミリ装置によれば、請求項５から９のいずれかに記載のファクシミリ装置と同様に作用する上、計時手段による所定時間の計時が行われたと経過時間判断手段によって判断されると、半導体化ＤＡＡの検出モードが切換手段によってリング信号検出モードに切り換えられ、交換機から送信されるリング信号がリング信号検出部により検出される。
【００２５】
請求項１１記載のファクシミリ装置は、請求項１から１０のいずれかに記載のファクシミリ装置において、回線が閉結したか否かを検出する回線状態検出手段を備え、前記切換手段は、回線の閉結が前記回線状態検出手段によって検出された場合には、前記半導体化ＤＡＡの検出モードを前記モデム信号検出モードに切り換えるように構成されている。
【００２６】
この請求項１１記載のファクシミリ装置によれば、請求項１から１０のいずれかに記載のファクシミリ装置と同様に作用する上、回線の閉結が回線状態検出状態により検出されると、半導体化ＤＡＡの検出モードが切換手段によってモデム信号検出モードに切り換えられ、回線からのモデム信号がモデム信号検出部により検出される。
【発明の効果】
【００２７】
請求項１記載のファクシミリ装置によれば、切換手段を備え、半導体化ＤＡＡの検出モードをモデム信号検出モード又はリング信号検出モードに切り換えることができるので、モデム信号またはリング信号のいずれか一方を選択的に検出して、即ち、モデム信号を検出すべき状態ではモデム信号検出部によりモデム信号を、リング信号を検出すべき状態ではリング検出部によりリング信号を、それぞれ確実に検出して、その検出の信頼性を向上させることができるという効果がある。
【００２８】
請求項２記載のファクシミリ装置によれば、請求項１記載のファクシミリ装置の奏する効果に加え、通常使用可能な待機中であることが待機状態検出手段により検出され、リング信号を検出すべき状態とされた場合には、切換手段によって、半導体化ＤＡＡの検出モードをリング信号検出モードに切り換えることができるので、交換機から送信されるリング信号を確実に検出することができると共に、その交換機からのリング信号に対して呼び出し音をリアルタイムに鳴動させることができるという効果がある。
【００２９】
請求項３記載のファクシミリ装置によれば、請求項１又は２に記載のファクシミリ装置の奏する効果に加え、保守モードへの移行指示がなされていると保守状態検出手段により検出され、モデム信号を検出すべき状態とされた場合には、切換手段によって、半導体化ＤＡＡの検出モードをモデム信号検出モードに切り換えることができるので、回線からのモデム信号を確実に検出することができるという効果がある。
【００３０】
請求項４記載のファクシミリ装置によれば、請求項１から３のいずれかに記載のファクシミリ装置の奏する効果に加え、外付け電話のフックアップがフックアップ検出手段により検出され、モデム信号を検出すべき状態とされた場合には、切換手段によって、半導体化ＤＡＡの検出モードをモデム信号検出モードに切り換えることができるので、回線からのモデム信号を確実に検出することができるという効果がある。
【００３１】
請求項５記載のファクシミリ装置によれば、請求項１から４のいずれかに記載のファクシミリ装置の奏する効果に加え、リング信号検出モードにおいて、１回目のリング信号の送信が終了したと初回リング検出手段により検出され、モデム信号を検出すべき状態とされた場合には、切換手段によって、半導体化ＤＡＡの検出モードをモデム信号検出モードに切り換えることができるので、１回目のリング信号の後に交換機から送信されるＣａｌｌｅｒＩＤデータ等のモデム信号を確実に検出することができるという効果がある。
【００３２】
請求項６記載のファクシミリ装置によれば、請求項１から５のいずれかに記載のファクシミリ装置の奏する効果に加え、情報端末起動信号（ＣＡＲ信号）が起動信号検出手段により検出され、モデム信号を検出すべき状態とされた場合には、切換手段によって、半導体化ＤＡＡの検出モードをモデム信号検出モードに切り換えることができるので、情報端末起動信号の後に交換機から送信されるＣａｌｌｅｒＩＤデータ等のモデム信号を確実に検出することができるという効果がある。
【００３３】
請求項７記載のファクシミリ装置によれば、請求項１から６のいずれかに記載のファクシミリ装置の奏する効果に加え、回線の極性反転が反転検出手段により検出され、モデム信号を検出すべき状態とされた場合には、切換手段によって、半導体化ＤＡＡの検出モードをモデム信号検出モードに切り換えることができるので、極性反転の後に交換機から送信されるＣａｌｌｅｒＩＤデータ等のモデム信号を確実に検出することができるという効果がある。
【００３４】
請求項８記載のファクシミリ装置によれば、請求項５又は７に記載のファクシミリ装置の奏する効果に加え、モデム信号検出モードに切り換えた状態で、リング信号の受信により割込信号が発生し、リング信号を検出すべき状態とされた場合には、切換手段によって、半導体化ＤＡＡの検出モードをリング信号検出モードに切り換えることができるので、モデム信号検出モードに切り換えられた状態でも割込信号の監視によりリング信号を確認することができ、交換機から送信されるリング信号を取りこぼすことなく確実に検出することができるという効果がある。
【００３５】
請求項９記載のファクシミリ装置によれば、請求項５から８のいずれかに記載のファクシミリ装置の奏する効果に加え、モデム信号検出モードにおいて、リング信号、情報端末起動信号（ＣＡＲ信号）、又は、回線の極性反転のいずれかの後に送信される発信者識別情報（ＣａｌｌｅｒＩＤ）の受信が完了され、リング信号を検出すべき状態とされた場合には、切換手段によって、半導体化ＤＡＡの検出モードをリング信号検出モードに切り換えることができるので、発信者識別情報の後に交換機から送信されるリング信号を取りこぼすことなく確実に検出することができるという効果がある。
【００３６】
請求項１０記載のファクシミリ装置によれば、請求項５から９のいずれかに記載のファクシミリ装置の奏する効果に加え、計時手段による所定時間の計時が行われたと経過時間判断手段によって判断された場合、即ち、何らかの理由により発信者識別情報（ＣａｌｌｅｒＩＤ）の受信を適正に完了しなかった場合には、切換手段によって、半導体化ＤＡＡの検出モードをリング信号検出モードに切り換えることができるので、交換機から送信されるリング信号を取りこぼすことなく確実に検出することができるという効果がある。
【００３７】
請求項１１記載のファクシミリ装置によれば、請求項１から１０のいずれかに記載のファクシミリ装置の奏する効果に加え、回線の閉結が回線状態検出手段によって検出され、モデム信号を検出すべき状態とされた場合には、切換手段によって、半導体化ＤＡＡの検出モードをモデム信号検出モードに切り換えることができるので、回線の閉結中に送信されるモデム信号を確実に検出することができるという効果がある。
【発明を実施するための最良の形態】
【００３８】
以下、本発明の好ましい実施例について、添付図面を参照して説明する。図１は本発明の第１実施例におけるファクシミリ装置１の電気的構成を示したブロック図である。ファクシミリ装置１には、ＣＰＵ１１、ＲＯＭ１２、ＲＡＭ１３、画像メモリ１４、回線Ｉ／Ｆ部１５、モデム１６、バッファ１７、スキャナ１８、符号化部１９、復号化部２０、プリンタ２１、操作パネル２２、ＬＣＤ２３及びアンプ２４が設けられており、これらはバスライン３０を介して互いに接続されている。
【００３９】
回線Ｉ／Ｆ部１５は回線制御を行うためのものであり、ファクシミリ装置１はこの回線Ｉ／Ｆ部１５を介して電話回線３１に接続されている。回線Ｉ／Ｆ部１５は、ＤＴＭＦ信号やＣＮＧ信号などのトーン信号や相手側装置の電話番号を示す信号（発信者識別情報（ＣａｌｌｅｒＩＤ））などを含む各種信号（モデム信号）、及び、交換機２７から送られる呼出信号（リング信号）を受信するとともに、操作パネル２２上のキーの操作に応じた発信時のダイヤル信号を交換機２７へ送信する。
【００４０】
なお、回線Ｉ／Ｆ部１５は、後述する半導体化ＤＡＡ３３（図２参照）を備えると共に端子Ｔ１、Ｔ２（図２参照）を介して、外付け電話２６と接続されている。
【００４１】
ＣＰＵ１１は、回線Ｉ／Ｆ部１５を介して送受信される各種信号に従って、バスライン３０により接続された各部を制御し、ファクシミリ動作、即ち、データ通信を実行するものである。なお、ＣＰＵ１１は、タイマ（図示せず）を内蔵しており、所定のタイミングからの経過時間を計時可能に構成されている。請求項１０記載の計時手段としては、このタイマが該当する。
【００４２】
ＲＯＭ１２は、このファクシミリ装置１で実行される制御プログラムなどを格納した書換不能なメモリであり、図３及び図４のフローチャートに示すプログラムは、このＲＯＭ１２内に格納されている。ＲＡＭ１３は、ファクシミリ装置１の各動作の実行時に各種のデータを一時的に記憶するためのメモリである。
【００４３】
画像メモリ１４は、通信履歴、画像データ及び印刷のためのビットイメージを記憶するためのメモリであり、安価な大容量メモリであるダイナミックＲＡＭ（ＤＲＡＭ）により構成されている。受信された画像データは、一旦画像メモリ１４に記憶され、プリンタ２１によって記録紙に印刷された後に、この画像メモリ１４から消去される。また、スキャナ１８によって読み取られた画像データも、この画像メモリ１４に記憶される。
【００４４】
モデム１６は、画情報及び通信データを変調及び復調して伝送すると共に伝送制御用の各種手順信号を送受信するためのものである。バッファ１７は、相手側装置との間で送受信される符号化された画情報を含むデータを一時的に記憶するためのものである。
【００４５】
スキャナ１８は、原稿挿入口に挿入された原稿を画像データとして読み取るためのものであり、原稿搬送用モータを備えている。符号化部１９は、スキャナ１８により読み取られた画像データの符号化を行うものである。復号化部２０は、バッファ１７または画像メモリ１４に記憶された画像データを読み出して、これを復号化するものであり、復号化されたデータは、プリンタ２１により記録紙に印刷される。
【００４６】
プリンタ２１は、インクジェット方式のプリンタで構成され、記録紙を搬送する記録紙用搬送モータと、印字ヘッドを搭載したキャリッジを移動させるキャリッジモータと、記録紙へインクを吐出する印字ヘッドとを備えている。アンプ２４は、そのアンプ２４に接続されたスピーカ２５を鳴動して、呼出音や音声を出力するためのものである。
【００４７】
このように構成されたファクシミリ装置１は、回線Ｉ／Ｆ部１５を介して、電話回線３１に接続されている。この電話回線３１は、本ファクシミリ装置１の交換機２７に接続され、この交換機２７は、電話回線３２を介して、他の交換機に接続されている。なお、他の交換機は、更に、電話回線を介して相手側装置や転送先となる他の装置に接続されている。
【００４８】
図２は、半導体化ＤＡＡ３３を備える回線Ｉ／Ｆ部１５の電気的構成を示すブロック図である。半導体化ＤＡＡ３３は、主に、回線終端、回線側との絶縁、ハイブリット、リンギング検出等の機能を持っている。そして、半導体化ＤＡＡ３３とモデム１６との間には、半導体化ＤＡＡ３３とモデム１６とを直流的に絶縁し、かつ、データ・信号などを伝達する絶縁部としての絶縁部３５が介在している。
【００４９】
なお、半導体化ＤＡＡ３３には、後述するように、ＦＡＸデータのＡ／Ｄ変換、Ｄ／Ａ変換を行うＣＯＤＥＣ４０が設けられているため、絶縁部３５は、デジタル伝達となる。よって、かかる絶縁部３５には、高絶縁のコンデンサーが一般的に用いられる。
【００５０】
ここで、モデム１６には、上述したように、バスライン３０を介して、ＣＰＵ１１が接続されており、このＣＰＵ１１には、図２に示すように、割込端子１１ａが設けられている。この割込端子１１ａには、半導体化ＤＡＡ３３から出力される割込信号がモデム１６を介して入力されるように構成されている。
【００５１】
即ち、後述するＣａｌｌｅｒＩＤ受信処理（図４参照）の実行中において、回線網（電話回線３１）からモデム信号またはリング信号が到来すると、半導体化ＤＡＡ３３は、割込信号を出力する。そして、ＣＰＵ１１は、この割込信号を検出すると、モデム１６に対して割り込み要因を問い合わせ、モデム１６からの回答の内容（割り込み要因）に応じて、半導体化ＤＡＡ３３の検出モードをモデム信号検出モードからリング信号検出モードへ切り換える（図４参照）。なお、請求項８記載の割込手段としては、半導体化ＤＡＡ３３が該当する。
【００５２】
回線Ｉ／Ｆ部１５には、半導体化ＤＡＡ３３の外、ＴＥＬ→ＦＡＸ切換のためＣＭＬ（Connect MODEM to Line）リレー３６、整流器３７、及び、直流ループカット用コンデンサ３８ａ、３８ｂ、３８ｃ、３８ｄ等が設けられている。なお、端子Ｌ１，Ｌ２は回線網側への接続端子であり、端子Ｔ１，Ｔ２は外付け電話２６側への接続端子である（図１参照）。
【００５３】
ＣＭＬリレー３６は、待機時には、図２に示すように、外付け電話２６（端子Ｔ２）側にオンにされており、ＦＡＸ通信が始まると、混線を防止するべく、ＣＰＵ１１よりＣＭＬリレー制御信号をオフにして回線網を外付け電話２６から切り離す。
【００５４】
整流器３７は、回線網の直流ループ電流の極性を一方向へ整流するものである。半導体化ＤＡＡ３３の電源は、トランス４５を通して供給されるが、整流器３７で整流されることにより、電話回線３１の電圧極性に関係なく一定極性の電圧とされている。
【００５５】
半導体化ＤＡＡ３３は、図２に示すように、電圧検出回路３４、ハイブリッドネットワーク４４、リング検出回路３９、及び、ＣＯＤＥＣ４０等を備えている。電圧検出回路３４は、整流器３７により整流されて半導体ＤＡＡ３３に供給される電源の電圧値を検出するものであり、図２に示すように、整流器３７とハイブリッドネットワーク４４と結ぶ接続線とＣＯＤＥＣ４０とにそれぞれ接続されている。電圧検出回路３４による検出結果は、半導体化ＤＡＡ３３から、モデム１６を介して、ＣＰＵ１１へ出力される。
【００５６】
ハイブリットネットワーク３６は、回線網の開放および閉結を行うためのものであり、電話回線３１からのＦＡＸデータを送信／受信データに分離する２線−４線変換回路，送信データの受信経路への回り込みを抑制するキャンセラー回路，及びフィルタ回路等から構成される。このハイブリッドネットワーク４４には、図２に示すように、回線網、ＣＯＤＥＣ４０、シリアルＩ／Ｆ４１及びグランドが接続されている。なお、ＣＯＤＥＣ４０との間には、送信アンプ４２が介在している。
【００５７】
ＣＯＤＥＣ４０は、回線網からのモデム信号検出部として構成されると共に、ＦＡＸ受信データ及び送信データのＡ／Ｄ変換及びＤ／Ａ変換を行うためのものである。このＣＯＤＥＣ４０には、図２に示すように、回線網、外付け電話２６、電圧検出回路３４、ハイブリッドネットワーク４４及びシリアルＩ／Ｆ４１が、送信アンプ４２又はトーンアンプ４３を介して、接続されている。
【００５８】
なお、送信アンプ４２は、送信データのゲイン調整を行うためのものである。また、トーンアンプ４３は差動型の増幅器であり、電話回線３１の端子Ｌ１，Ｌ２に対し、差動入力になっており、モデム信号受信部を構成する。
【００５９】
ＣＯＤＥＣ４０に電話回線３１又は外付け電話２６からモデム信号が到来すると、トーンアンプ４３→ＣＯＤＥＣ４０→シリアルＩ／Ｆ４１→絶縁部３５→モデム１６の順に流れ、ＣＯＤＥＣ４０から送信される検出信号がＣＰＵ１１により検出される。
【００６０】
リング検出回路３９は、回線網からのリング信号を検出するリング信号検出部として構成される部位であり、図２に示すように、回線網、外付け電話２６及びシリアルＩ／Ｆ４１に接続されている。リング検出回路３９に電話回線３１からリング信号が到来すると、それと同じサイクルで、リング検出回路３９→シリアルＩ／Ｆ４１→絶縁部３５のコンデンサ３５ａを通り、リング検出信号がＬ（ローレベル）からＨ（ハイレベル）へ（又は、その逆へ）変化することにより、モデム１６を介して、ＣＰＵ１１により検出される。
【００６１】
シリアルＩ／Ｆ４１は、リング検出回路３９からのリング検出信号やＣＯＤＥＣ４０からのＦＡＸ受信データ等を、絶縁部３５のコンデンサ３５ｂに対しシリアルデータに一本化する一方、回線網の閉結および開放を半導体化ＤＡＡ３３に行わせるための制御信号およびＣＯＤＥＣ４０へのＦＡＸ送信データに対し、絶縁部３５のコンデンサ３５ａからのシリアル信号をそれぞれに分離するためのものである。
【００６２】
次に、上記のように構成されたファクシミリ装置１で実行される処理を、図３及び図４のフローチャートを参照して説明する。なお、この処理の説明においては、図５を適宜参照しつつ説明する。
【００６３】
なお、図５は、半導体化ＤＡＡ３３の検出モード（モデム信号検出モード、リング信号検出モード）の切り換えテーブルを示した図であり、電話回線３１の回線状態（回線開放７１又は回線閉結７２）とファクシミリ装置１の動作状態６１〜６６との各組み合わせにおける検出モードについて示している。
【００６４】
この図５によれば、例えば、回線状態が回線開放７１である場合において、動作状態がユーザーモード待機中６１であると判断された場合には、「リング信号検出モード」の検出モードに、動作状態が保守モード中６２とされた場合には、「モデム信号検出モード」の検出モードに、それぞれ切り換えられることを示している。
【００６５】
なお、「ユーザーモード」とは、ユーザが通常使用する状態で、回線開放中で、通話中でもＦＡＸ送受信中でもない状態をいい、請求項２記載の「通常使用可能な待機中」は、このユーザーモード中であることを意味する。
【００６６】
図３は、ファクシミリ装置１において実行されるメイン処理を示すフローチャートである。この処理は、ファクシミリ装置１の電源が投入されている間、ＣＰＵ１１によって繰り返し実行される処理であり、ファクシミリ装置１の動作状態６１〜６６（図５参照）を判別して、その判別結果に応じて半導体化ＤＡＡ３３の検出モードをモデム信号検出モード又はリング信号検出モードに切り換えることにより、モデム信号（例えば、ＣａｌｌｅｒＩＤデータ）及びリング信号のいずれの信号をも確実に検出するための処理である。
【００６７】
ＣＰＵ１１は、ファクシミリ装置１の電源が投入されると（Ｓ１）、まず、ファクシミリ装置１の動作状態が「ユーザーモード待機中６１（図５参照）」であるか否かを確認する。確認の結果、ファクシミリ装置１の動作状態がユーザーモード待機中６１であると判断される場合には（Ｓ２：Ｙｅｓ）、ファクシミリ装置１は、電話回線３１が閉結されない限り、交換機２７から送信されるリング信号を受信すべき状態にあるということであるので、半導体化ＤＡＡ３３の検出モードをリング信号検出モードに設定（切り換え）し（Ｓ３）、ユーザー操作およびリング信号の検出有無を監視する（Ｓ４）。これにより、交換機２７からリング信号が送信された場合には、かかるリング信号を確実に検出することができると共に、その交換機２７からのリング信号に対して呼び出し音をリアルタイムに鳴動させることができる。
【００６８】
そして、ユーザー操作による保守モードへの移行指示があったか否かを確認し（Ｓ５）、その結果、保守モードへの移行指示はなされていないと判断される場合には（Ｓ５：Ｎｏ）、更に、外付け電話２６がフックアップされたか否かを確認する（Ｓ６）。確認の結果、外付け電話２６のフックアップもなされていないと判断される場合には（Ｓ６：Ｎｏ）、ファクシミリ装置１は、未だリング信号を受信すべき状態にあるということであり、半導体化ＤＡＡ３３の検出モードをモデム信号検出モードへ切り換える必要はない（図５参照）。
【００６９】
よって、この場合には（Ｓ６：Ｎｏ）、リング信号を検出したか否かを確認し（Ｓ７）その結果、リング信号は未だ検出されていないと判断される場合には（Ｓ７：Ｎｏ）、半導体化ＤＡＡ３３の検出モードをリング信号検出モードに維持しつつ、Ｓ２の処理へ移行して、ユーザー操作やリング信号の検出有無を監視する。
【００７０】
一方、Ｓ７の処理において、リング信号が検出されたと判断された場合には（Ｓ７：Ｙｅｓ）、交換機２７から到来した１回目のリング信号が検出されたということである。よって、この場合には（Ｓ７：Ｙｅｓ）、かかる１回目のリング信号に対して呼び出し音を鳴動させるべく、リング鳴動処理（Ｓ８）を実行する。そして、かかる呼び出し音の鳴動に呼応して電話回線３１が閉結されたか否かを確認する（Ｓ９）。
【００７１】
確認の結果、電話回線３１は閉結されていない、即ち、開放状態が維持されていると判断される場合には（Ｓ９：Ｎｏ）、次いで、かかる１回目のリング信号の受信が終了したか否かを確認し（Ｓ１０）、その結果、１回目のリング信号の受信が終了していないと判断される場合には（Ｓ１０：Ｎｏ）、呼び出し音の鳴動および電話回線３１の回線状態の監視を継続させるべく、Ｓ８の処理へ移行する。
【００７２】
一方、Ｓ１０の処理において、１回目のリング信号の受信が終了したと判断される場合には（Ｓ１０：Ｙｅｓ）、ＣａｌｌｅｒＩＤ受信処理（Ｓ１１）を実行する。ここで、図４のフローチャートを参照して、ＣａｌｌｅｒＩＤ受信処理（Ｓ１１）について説明する。図４は、ＣａｌｌｅｒＩＤ受信処理を示すフローチャートである。この処理は、一回目のリング信号と２回目のリング信号との間に交換機２７から送信されるＣａｌｌｅｒＩＤデータ（発信者識別情報データ）を受信するための処理である。
【００７３】
ここで、１回目のリング信号の受信が終了した場合には（Ｓ１０：Ｙｅｓ、図３参照）、ファクシミリ装置１はモデム信号を受信すべき状態にあるということであるので（図５参照）、図４に示すＣａｌｌｅｒＩＤ受信処理（Ｓ１１）では、まず、ＣａｌｌｅｒＩＤデータを受信するべく、半導体化ＤＡＡ３３の検出モードを一旦モデム信号検出モードに設定（切り換え）した後（Ｓ３１）、ＣａｌｌｅｒＩＤデータ受信割り込み、及び、リング信号受信割り込みを設定し（Ｓ３２、Ｓ３３）、更に、タイムアウトを設定する（Ｓ３４）。なお、本実施例では、タイムアウトは４ｓに設定される。
【００７４】
Ｓ３１からＳ３４の処理により各種設定処理を実行した後は、割り込みが発生したか否かを確認し（Ｓ３５）、その結果、割り込みが発生していると判断される場合には（Ｓ３５：Ｙｅｓ）、その割り込み要因を確認する（Ｓ３６）。
【００７５】
なお、電話回線３１からモデム信号またはリング信号が到来すると、半導体化ＤＡＡ３３により割込信号が出力され、かかる割込信号は、モデム１６を介して、ＣＰＵ１１の割込端子１１ａへ入力されるので、ＣＰＵ１１は、かかる割込信号の入力により、割り込みの発生を検出することができる（Ｓ３５）。また、ＣＰＵ１１は、かかる割り込みの発生を検出した場合には（Ｓ３５：Ｙｅｓ）、モデム１６に対して割り込みの要因を問い合わせることにより、割り込み要因がＣａｌｌｅｒＩＤデータ受信割込であるかリング信号受信割込であるかを確認することができる（Ｓ３６）。
【００７６】
Ｓ３６の処理において、割り込み要因を確認した結果、割り込み要因がＣａｌｌｅｒＩＤデータ受信割り込みであると判断される場合には（Ｓ３７：Ｙｅｓ）、ファクシミリ装置１はモデム信号を検出すべき状態にあるということであるが、半導体化ＤＡＡ３３の検出モードは既にモデム信号検出モードに切り換えられているので（Ｓ３１参照）、そのままＣａｌｌｅｒＩＤデータの受信処理を開始する（Ｓ３８）。
【００７７】
Ｓ３８の処理において、ＣａｌｌｅｒＩＤデータの受信処理を開始した後は、かかるＣａｌｌｅｒＩＤデータの受信が終了したか否かを確認し（Ｓ３９）、その結果、ＣａｌｌｅｒＩＤデータの受信が終了したと判断される場合には（Ｓ３９：Ｙｅｓ）、ファクシミリ装置１は、２回目のリング信号を受信すべき状態にあるということであるので（図５参照）、半導体化ＤＡＡ３３の検出モードをモデム信号検出モードからリング信号検出モードに設定（切り換え）して（Ｓ４０）、２回目のリング信号を検出するべく、このＣａｌｌｅｒＩＤ受信処理を終了する。
【００７８】
一方、Ｓ３７の処理において、割り込み要因がＣａｌｌｅｒＩＤデータ受信割り込みではないと判断された場合には（Ｓ３７：Ｎｏ）、リング信号受信割り込みが発生した、即ち、ファクシミリ装置１は、２回目のリング信号を検出すべき状態にあるということであるので（図５参照）、かかる２回目のリング信号を検出するべく、Ｓ３８及びＳ３９の処理をスキップした後、半導体化ＤＡＡ３３の検出モードをモデム信号検出モードからリング信号検出モードへ切り換える（Ｓ４０）。
【００７９】
このように、ファクシミリ装置１によれば、１回目のリング信号の受信が終了すると（Ｓ１０：Ｙｅｓ）、半導体化ＤＡＡ３３の検出モードをモデム信号検出モードに一旦設定すると共に（Ｓ３１）、ＣａｌｌｅｒＩＤデータ受信割り込みとリング信号受信割り込みとを同時に設定し（Ｓ３２、Ｓ３３）、ＣａｌｌｅｒＩＤ受信割り込みが発生した場合には（Ｓ３７：Ｙｅｓ）、そのままＣａｌｌｅｒＩＤデータを受信する一方、リング信号受信割り込みが発生した場合には（Ｓ３７：Ｎｏ）、半導体化ＤＡＡ３３の検出モードをリング信号検出モードに切り換えることができるので（Ｓ４０）、２回目のリング信号の取りこぼしを防止することができる。
【００８０】
Ｓ３５の処理において、割り込みが発生していないと判断された場合には（Ｓ３５：Ｎｏ）、ＣａｌｌｅｒＩＤデータの受信中であるか否かを確認する（Ｓ４１）。確認の結果、ＣａｌｌｅｒＩＤデータの受信中であると判断された場合、即ち、既にＣａｌｌｅｒＩＤ受信割り込みが発生し、そのＣａｌｌｅｒＩＤデータの受信中である場合には（Ｓ４１：Ｙｅｓ）、かかるＣａｌｌｅｒＩＤデータの受信処理を継続するべく、Ｓ３８の処理へ移行する。
【００８１】
一方、Ｓ４１の処理において、ＣａｌｌｅｒＩＤデータの受信中ではないと判断された場合、即ち、未だＣａｌｌｅｒＩＤデータ受信割り込み若しくはリング信号受信割り込みが発生していないと判断された場合には（Ｓ４１：Ｎｏ）、次いで、タイムアウトしたか否か、即ち、ＣａｌｌｅｒＩＤデータを検出できない状態が所定時間（４ｓ）以上継続したか否かを確認する（Ｓ４２）。また、Ｓ３９の処理において、ＣａｌｌｅｒＩＤデータの受信が未だ終了していないと判断される場合にも（Ｓ３９：Ｎｏ）、タイムアウトしたか否か、即ち、所定時間（４ｓ）以上のＣａｌｌｅｒＩＤデータの受信処理が行われたか否かを確認する（Ｓ４２）。
【００８２】
確認の結果、タイムアウトしたと判断される場合には（Ｓ４２：Ｙｅｓ）、交換機２７から到来した信号にはＣａｌｌｅｒＩＤデータが含まれていないか、又は、ＣａｌｌｅｒＩＤデータは含まれているが、何らかの理由で受信不良等が生じ所定時間内に受信が完了しなかったということである。よって、この場合には（Ｓ４２：Ｙｅｓ）、ファクシミリ装置１は、２回目のリング信号を検出すべき状態にあるということであるので（図５参照）、かかる２回目のリング信号を検出すべく、半導体化ＤＡＡ３３の検出モードをモデム信号検出モードからリング信号検出モードに切り換えて（Ｓ４０）、このＣａｌｌｅｒＩＤ受信処理を終了する。
【００８３】
一方、Ｓ４２の処理において、未だタイムアウトしていないと判断される場合には（Ｓ４２：Ｎｏ）、次いで、電話回線３１が閉結したか否かを確認する（Ｓ４３）。確認の結果、電話回線３１は閉結されていない、即ち、開放状態が維持されていると判断される場合には（Ｓ４３：Ｎｏ）、割り込みの発生有無を監視するか、又は、ＣａｌｌｅｒＩＤデータの受信を継続するべく、Ｓ３５の処理へ移行する。
【００８４】
一方、Ｓ４３の処理において、電話回線３１が閉結したと判断される場合には（Ｓ４３：Ｙｅｓ）、ファクシミリ装置１は、通話処理を実行するべく、モデム信号を検出する必要があるということであるので、かかる半導体化ＤＡＡ３３の検出モードをモデム信号検出モードに維持したまま、このＣａｌｌｅｒＩＤ受信処理を終了する。
【００８５】
図３のフローチャートに戻って説明する。ＣａｌｌｅｒＩＤ受信処理（Ｓ１１）を実行した後は、現在の検出モードがリング信号検出モードであるか否かを確認する（Ｓ１２）。確認の結果、現在の検出モードがリング信号検出モードであると判断される場合には（Ｓ１２：Ｙｅｓ）、上述したＣａｌｌｅｒＩＤ受信処理（Ｓ１１）において、ＣａｌｌｅｒＩＤデータの受信が終了したか（Ｓ３９：Ｙｅｓ）、タイムアウトしたか（Ｓ４２：Ｙｅｓ）、或いは、リング信号受信割り込みが発生したということであるので（Ｓ３７：Ｎｏ）、２回目のリング信号に対して呼び出し音を鳴動させるべく（図５参照）、リング鳴動処理（Ｓ１３）を実行すると共に、かかる呼び出し音の鳴動に呼応して電話回線３１が閉結されたか否かを確認する（Ｓ１４）。
【００８６】
確認の結果、電話回線３１は閉結されていない、即ち、開放状態が維持されていると判断される場合には（Ｓ１４：Ｎｏ）、次いで、かかる２回目のリング信号の交換機２７からの送信が停止したか否かを確認し（Ｓ１５）、その結果、２回目のリング信号の送信が停止していないと判断される場合には（Ｓ１５：Ｎｏ）、呼び出し音の鳴動および電話回線３１の回線状態の監視を継続させるべく、Ｓ１３の処理へ移行する。なお、２回目のリング信号の送信が停止したか否かは、かかるリング信号のオフ状態が所定時間以上だけ検出されたか否かにより判断される。
【００８７】
Ｓ２の処理において、ファクシミリ装置１の動作状態が「ユーザーモード待機中６１（図５参照）」ではないと判断された場合（Ｓ２：Ｎｏ）、又は、Ｓ５又はＳ６の処理において、ユーザー操作による保守モードへの移行指示がなされたと判断されたり（Ｓ５：Ｙｅｓ）、外付け電話２６がフックアップされたと判断された場合には（Ｓ６：Ｙｅｓ）、ファクシミリ装置１の動作状態が「保守モード中６２（図５参照）」又は「外付け電話フックアップ時６３（図５参照）」に移行され、モデム信号を検出すべき状態にあるということである。
【００８８】
よって、この場合には（Ｓ２：Ｎｏ、Ｓ５：Ｙｅｓ、Ｓ６：Ｙｅｓ）、モデム信号を検出するべく、半導体化ＤＡＡ３３の検出モードをモデム信号検出モードに設定（切り換え）する（Ｓ１６）。そして、ユーザー操作の検出有無を監視して（Ｓ１７）。保守モードの終了指示、又は、外付け電話２６のフックアップ解除がなされたか否かを確認する（Ｓ１８）。確認の結果、終了指示またはフックアップ解除が未だなされていないと判断される場合には（Ｓ１８：Ｎｏ）、ユーザー操作の検出有無の監視を継続するべく、Ｓ１７の処理へ移行する。
【００８９】
Ｓ９又はＳ１４の処理において、即ち、１回目または２回目のリング信号に対する呼び出し音が鳴動されている際において、電話回線３１が閉結したと判断された場合（Ｓ９：Ｙｅｓ、Ｓ１４：Ｙｅｓ）、或いは、Ｓ１２の処理において、検出モードがリング信号検出モードではない、即ち、ＣａｌｌｅｒＩＤ受信処理（Ｓ１１）において、電話回線３１が閉結したと判断された場合（Ｓ１２：Ｎｏ）には、ファクシミリ装置１は、モデム信号を検出すべき状態にあるということであるので（図５参照）、半導体化ＤＡＡ３３の検出モードをモデム信号検出モードに設定（切り換え）して（Ｓ１９）、通話処理（Ｓ２０）を実行すると共に、電話回線３１が開放されたか否かを確認する（Ｓ２１）。確認の結果、電話回線３１の閉結状態が維持されていると判断される場合には（Ｓ２１：Ｎｏ）、Ｓ２０の処理へ移行して、通話処理（Ｓ２０）を継続する。
【００９０】
Ｓ１５の処理において、２回目のリング信号の送信が停止したと判断される場合（Ｓ１５：Ｙｅｓ）、Ｓ１８の処理において、終了指示またはフックアップ解除がなされたと判断される場合（Ｓ１８：Ｙｅｓ）、或いは、Ｓ２１の処理において、電話回線３１が開放したと判断される場合には（Ｓ２１：Ｙｅｓ）、Ｓ２の処理へ移行して、上述の処理を繰り返し実行する。これにより、ファクシミリ装置１の動作状態６１〜６６（図５参照）を判別して、その判別結果に応じて半導体化ＤＡＡ３３の検出モードをモデム信号検出モード又はリング信号検出モードに切り換えることができるので、モデム信号およびリング信号のいずれの信号をも確実に検出することができる。
【００９１】
次に、図６から図８を参照して第２実施例について説明する。第１実施例のファクシミリ装置１では、１回目のリング信号が終了した場合に、半導体化ＤＡＡ３３の検出モードがモデム信号検出モードに切り換えられたのに対し、第２実施例のファクシミリ装置では、情報端末起動信号（ＣＡＲ信号）が検出された場合に、半導体化ＤＡＡ３３の検出モードをモデム信号検出モードに切り換えるように構成されている。
【００９２】
なお、前記した第１実施例と同一の部分には同一の符号を付して、その説明は省略する。また、図６及び図７に示すフローチャートの説明においては、第１実施例の場合と同様に、図８を適宜参照しつつ説明する。
【００９３】
図６は、第２実施例のファクシミリ装置１において実行されるメイン処理を示すフローチャートである。この処理は、ファクシミリ装置１の電源が投入されている間、ＣＰＵ１１によって繰り返し実行される処理であり、第１実施例の場合と同様に、ファクシミリ装置１の動作状態６１〜６３，２６４〜２６６（図８参照）を判別して、その判別結果に応じて半導体化ＤＡＡ３３の検出モードをモデム信号検出モード又はリング信号検出モードに切り換えることにより、モデム信号（例えば、ＣａｌｌｅｒＩＤデータ）及びリング信号のいずれの信号をも確実に検出するための処理である。
【００９４】
第２実施例においては、交換機２７から送信されるＣＡＲ信号を受信した場合に、半導体化ＤＡＡ３３の検出モードをモデム信号検出モードに切り換えるため、ＣＰＵ１１は、図６のフローチャートに示すように、ユーザー操作およびＣＡＲ信号を監視する（Ｓ２０１）。なお、ＣＡＲ信号は、リング信号検出モードの状態において、半導体化ＤＡＡ３３のリング検出回路３９により検出される。但し、かかるＣＡＲ信号を検出する検出手段は、リング検出回路３９とは別に独立して設けても良い。
【００９５】
Ｓ５及びＳ６の処理において、保守モードへの移行指示がなされておらず、かつ、外付け電話２６のフックアップもなされていないと判断される場合には（Ｓ５：Ｎｏ、Ｓ６：Ｎｏ）、情報端末起動信号（ＣＡＲ信号）を検出したか否かを確認する（Ｓ２０２）。その結果、ＣＡＲ信号が検出されていないと判断される場合には（Ｓ２０２：Ｎｏ）、半導体化ＤＡＡ３３の検出モードをリング信号検出モードに維持しつつ、Ｓ２の処理へ移行して、ユーザー操作やＣＡＲ信号の検出有無の監視を継続する。
【００９６】
ここで、交換機２７からのＣＡＲ信号が検出され、その結果、ファクシミリ装置１が電話回線３１を閉結した場合には、交換機２７は、かかるファクシミリ装置１がＣａｌｌｅｒＩＤデータの受信が可能に構成されたものであり、かつ、その受信を希望していると判断し、ＣａｌｌｅｒＩＤデータを送信する。一方、所定数（６個）のＣＡＲ信号を送信した結果、ファクシミリ装置１が電話回線３１を閉結しなかった場合には、かかるファクシミリ装置１がＣａｌｌｅｒＩＤデータを受信不可能に構成されたものである、又は、その受信を希望していないと判断し、ＣａｌｌｅｒＩＤデータを送信することなく、リング信号の送信を開始する。
【００９７】
そのため、Ｓ２０２の処理において、ＣＡＲ信号が検出された場合には（Ｓ２０２：Ｙｅｓ）、ＣＰＵ１１は、電話回線３１を閉結するか否かを判断し（Ｓ２０３）、電話回線３１を閉結する必要がある、即ち、ＣａｌｌｅｒＩＤデータを受信する必要があると判断した場合には（Ｓ２０３：Ｙｅｓ）、交換機２７へＣａｌｌｅｒＩＤデータの送信を要求するべく、電話回線３１を閉結する（Ｓ２０４）。なお、かかる電話回線３１の閉結は、ＣＰＵ１１が少なくとも１個のＣＡＲ信号を認識した時点で、即ち、所定数（６個）のＣＡＲ信号をすべて受信したか否かに関わらず行われる。
【００９８】
電話回線３１の閉結が行われると、交換機２７は、ファクシミリ装置１からＣａｌｌｅｒＩＤデータの送信要求があったと判断し、ＣａｌｌｅｒＩＤデータの送信を開始する（図８参照）。そこで、ＣＰＵ１１は、そのＣａｌｌｅｒＩＤデータを受信するべく、ＣａｌｌｅｒＩＤ受信処理（Ｓ２１１）を実行する。ここで、図７のフローチャートを参照して、ＣａｌｌｅｒＩＤ受信処理（Ｓ２１１）について説明する。
【００９９】
図７は、ＣａｌｌｅｒＩＤ受信処理を示すフローチャートである。この処理は、ＣＡＲ信号とリング信号との間に交換機２７から送信されるＣａｌｌｅｒＩＤデータ（図８参照）を受信するための処理である。
【０１００】
ＣａｌｌｅｒＩＤ受信処理（Ｓ２１１）では、まず、ＣａｌｌｅｒＩＤデータを受信するべく、半導体化ＤＡＡ３３の検出モードをモデム信号検出モードに設定（切り換え）する（Ｓ３１）。そして、タイムアウトを設定した後は（Ｓ３４）、ＣａｌｌｅｒＩＤデータの受信処理を実行する（Ｓ３８）。
【０１０１】
その後、受信処理を開始してから所定時間が経過（タイムアウト）したか否か（Ｓ４２）、及び、ＣａｌｌｅｒＩＤデータの受信が終了したか否かを監視しつつ（Ｓ３９）、ＣａｌｌｅｒＩＤデータの受信処理を継続する（Ｓ３８）。そして、Ｓ３９の処理において、ＣａｌｌｅｒＩＤデータの受信が終了したと判断される場合（Ｓ３９：Ｙｅｓ）、又は、タイムアウトした場合には（Ｓ４２：Ｙｅｓ）、交換機２７にリング信号の送信を要求するべく、電話回線３１を開放する（Ｓ２０５）。
【０１０２】
電話回線３１の開放が行われると、交換機２７は、ファクシミリ装置１によるＣａｌｌｅｒＩＤデータの受信が終了し、次いで、そのファクシミリ装置１からリング信号の送信要求があったと判断し、リング信号の送信を開始する（図８参照）。そこで、ＣＰＵ１１は、そのリング信号を受信するべく、半導体化ＤＡＡ３３の検出モードをリング信号検出モードに設定（切り換え）して（Ｓ４０）、このＣａｌｌｅｒＩＤ受信処理（Ｓ２１１）を終了する。
【０１０３】
なお、第２実施例においては、上述のように、ＣａｌｌｅｒＩＤデータの受信が終了した場合に回線が開放される、即ち、ＣａｌｌｅｒＩＤデータの受信中においては、回線が閉結されているので、その間に交換機２７からリング信号が送信されることはない。よって、第１実施例のように、割り込みを設定し、リング信号受信割り込みが発生したか否かを監視する必要はない。
【０１０４】
図６のフローチャートに戻って説明する。ＣａｌｌｅｒＩＤ受信処理（Ｓ２１１）を実行した後は、上述したように、交換機２７からリング信号が送信されるので、かかるリング信号に対して呼び出し音を鳴動させるべく、リング鳴動処理（Ｓ１３）を実行する。
【０１０５】
また、Ｓ２０３の処理において、電話回線３１を閉結するか否かを判断した結果（Ｓ２０３）、電話回線３１を閉結する必要がない、即ち、ＣａｌｌｅｒＩＤデータを受信する必要がない（例えば、ユーザーがナンバーディスプレイ機能を利用しない旨の設定をしている）と判断した場合には（Ｓ２０３：Ｙｅｓ）、電話回線３１の閉結（Ｓ２０４）が行われておらず、よって、交換機２７は、上述したように、ＣａｌｌｅｒＩＤデータを送信することなく、リング信号の送信を開始するので、かかるリング信号に対して鳴動させるべく、リング鳴動処理（Ｓ１３）を実行する。
【０１０６】
このように、第２実施例におけるファクシミリ装置１によれば、ＣＡＲ信号が検出され、モデム信号を検出すべき状態とされた場合には、半導体化ＤＡＡの検出モードをモデム信号検出モードに切り換えることができるので、交換機２７から送信されるＣａｌｌｅｒＩＤデータを確実に検出することができる。
【０１０７】
次に、図９から図１１を参照して第３実施例について説明する。第１実施例のファクシミリ装置１では、１回目のリング信号が終了した場合に、半導体化ＤＡＡ３３の検出モードがモデム信号検出モードに切り換えられたのに対し、第３実施例のファクシミリ装置では、電話回線３１の極性反転が検出された場合に、半導体化ＤＡＡ３３の検出モードをモデム信号検出モードに切り換えるように構成されている。
【０１０８】
なお、前記した第１実施例と同一の部分には同一の符号を付して、その説明は省略する。また、図９及び図１０に示すフローチャートの説明においては、第１実施例の場合と同様に、図１１を適宜参照しつつ説明する。
【０１０９】
図９は、第３実施例のファクシミリ装置１において実行されるメイン処理を示すフローチャートである。この処理は、ファクシミリ装置１の電源が投入されている間、ＣＰＵ１１によって繰り返し実行される処理であり、第１実施例の場合と同様に、ファクシミリ装置１の動作状態６１〜６３，６６，３６４，３６５（図１１参照）を判別して、その判別結果に応じて半導体化ＤＡＡ３３の検出モードをモデム信号検出モード又はリング信号検出モードに切り換えることにより、モデム信号（例えば、ＣａｌｌｅｒＩＤデータ）及びリング信号のいずれの信号をも確実に検出するための処理である。
【０１１０】
第３実施例においては、電話回線３１の極性が交換機２７（図１参照）によって反転された場合に、半導体化ＤＡＡ３３の検出モードをモデム信号検出モードに切り換えるため、ＣＰＵ１１は、図９のフローチャートに示すように、ユーザー操作および電話回線３１の極性を監視する（Ｓ３０１）。
【０１１１】
なお、半導体化ＤＡＡ３３のリング検出回路３９（図２参照）には、極性反転検出回路（図示せず）が設けられており、電話回線３１の極性が反転されたか否かは、リング信号検出モードの状態において、その極性反転検出回路によって検出される。但し、極性反転検出回路は、リング検出回路３９とは別に独立して設けても良い。
【０１１２】
Ｓ５及びＳ６の処理において、保守モードへの移行指示がなされておらず、かつ、外付け電話２６のフックアップもなされていないと判断される場合には（Ｓ５：Ｎｏ、Ｓ６：Ｎｏ）、電話回線３１の極性反転が検出されたか否かを確認する（Ｓ３０２）。その結果、電話回線３１の極性反転が検出されていないと判断される場合には（Ｓ３０２：Ｎｏ）、半導体化ＤＡＡ３３の検出モードをリング信号検出モードに維持しつつ、Ｓ２の処理へ移行して、ユーザー操作や電話回線３１の極性反転の検出有無の監視を継続する。
【０１１３】
一方、Ｓ３０２の処理において、電話回線３１の極性反転が検出されたと判断された場合には（Ｓ３０２：Ｙｅｓ）、次いで、交換機２７からＣａｌｌｅｒＩＤデータが送信されるということであるので、ＣＰＵ１１は、そのＣａｌｌｅｒＩＤデータを受信するべく、ＣａｌｌｅｒＩＤ受信処理（Ｓ３１１）を実行する。ここで、図１０のフローチャートを参照して、ＣａｌｌｅｒＩＤ受信処理（Ｓ３１１）について説明する。
【０１１４】
図１０は、ＣａｌｌｅｒＩＤ受信処理を示すフローチャートである。この処理は、電話回線３１の極性が反転された後、リング信号が送信される前に交換機２７から送信されるＣａｌｌｅｒＩＤデータ（図８参照）を受信するための処理である。ＣａｌｌｅｒＩＤ受信処理（Ｓ３１１）では、第１実施例の場合と同様に、Ｓ３１からＳ３４の処理により各種設定処理を実行した後、割り込みの発生を確認し（Ｓ３５）、その割り込み要因に応じて（Ｓ３７）、ＣａｌｌｅｒＩＤデータの受信処理（Ｓ３８）等を行う。
【０１１５】
但し、第３実施例では、第１実施例の場合と異なり、ＣａｌｌｅｒＩＤ受信処理（Ｓ３１１）の実行段階においては、交換機２７から未だリング信号が送信されておらず、よって、そのリング信号に対する呼び出し音が鳴動されることもない。そのため、第１実施例の場合のように、呼び出し音の鳴動に呼応して電話回線３１が閉結されたか否かを確認する必要はないので（Ｓ４３参照）、Ｓ３４２の処理において、タイムアウトが発生していなければ（Ｓ３４２：Ｎｏ）、回線の閉結を確認することなく、Ｓ３５の処理へ移行する一方、タイムアウトが発生している場合には（Ｓ３４２：Ｙｅｓ）、リング信号の受信に備え、検出モードを切り換えるべく、Ｓ４０の処理へ移行する。
【０１１６】
図９のフローチャートに戻って説明する。ＣａｌｌｅｒＩＤ受信処理（Ｓ３１１）を実行した後は、上述したように、交換機２７からリング信号が送信されるので、かかるリング信号に対して呼び出し音を鳴動させるべく、リング鳴動処理（Ｓ１３）を実行する。
【０１１７】
このように、第３実施例におけるファクシミリ装置１によれば、回線の極性反転が検出され、モデム信号を検出すべき状態とされた場合には、半導体化ＤＡＡの検出モードをモデム信号検出モードに切り換えることができるので、交換機２７から送信されるＣａｌｌｅｒＩＤデータを確実に検出することができる。
【０１１８】
なお、各フローチャートにおいて、請求項１記載の切換手段としてはＳ３，Ｓ１６，Ｓ１９，Ｓ３１及びＳ４０の各処理が、請求項２記載の待機状態検出手段としてはＳ２の処理が、請求項３記載の保守状態検出手段としてはＳ５の処理が、請求項４記載のフックアップ検出手段としてはＳ６の処理が、請求項５記載の初回リング検出手段としてはＳ１０の処理が、請求項６記載の起動信号検出手段としてはＳ２０２の処理が、請求項７記載の反転検出手段としてはＳ３０２の処理が、請求項１０記載の経過時間判断手段としてはＳ４２及びＳ３４２の処理が、請求項１１記載の回線状態検出手段としてはＳ９，Ｓ１４及びＳ４３の各処理が、それぞれ該当する。
【０１１９】
以上、実施例に基づき本発明を説明したが、本発明は上述した実施例に何ら限定されるものではなく、本発明の趣旨を逸脱しない範囲内で種々の改良変更が可能であることは容易に推察できるものである。
【図面の簡単な説明】
【０１２０】
【図１】本発明の第１実施例におけるファクシミリ装置の電気的構成を示したブロック図である。
【図２】回線Ｉ／Ｆ部の電気的構成を示すブロック図である。
【図３】メイン処理を示すフローチャートである。
【図４】ＣａｌｌｅｒＩＤ受信処理を示すフローチャートである。
【図５】半導体化ＤＡＡの検出モードの切り換えテーブルを示した図である。
【図６】第２実施例におけるメイン処理を示すフローチャートである。
【図７】第２実施例におけるＣａｌｌｅｒＩＤ受信処理を示すフローチャートである。
【図８】第２実施例における半導体化ＤＡＡの検出モードの切り換えテーブルを示した図である。
【図９】第３実施例におけるメイン処理を示すフローチャートである。
【図１０】第３実施例におけるＣａｌｌｅｒＩＤ受信処理を示すフローチャートである。
【図１１】第３実施例における半導体化ＤＡＡの検出モードの切り換えテーブルを示した図である。
【符号の説明】
【０１２１】
１                  ファクシミリ装置
１５                回線Ｉ／Ｆ部
２７                交換機
３１                電話回線（回線網、回線）
３３                半導体化ＤＡＡ
３９                リング検出回路（リング信号検出部、）
４０                ＣＯＤＥＣ（モデム信号検出部）
【図１】
2005057615.tif 000003
【図２】
2005057615.tif 000004
【図３】
2005057615.tif 000005
【図４】
2005057615.tif 000006
【図５】
2005057615.tif 000007
【図６】
2005057615.tif 000008
【図７】
2005057615.tif 000009
【図８】
2005057615.tif 000010
【図９】
2005057615.tif 000011
【図１０】
2005057615.tif 000012
【図１１】
2005057615.tif 000013